(57)【要約】【課題】面倒な手間をかけることなく裄丈を所望の長さに微調整し且つ繰り返しの着用によっても生地の脆弱化を招くことなくカフスの形状を安定して維持し得るようにしたダブルカフスを提供する。【解決手段】シャツ、ブラウス等の袖口を折返し仕立てとし且つその二つ折りにしたカフス１の外側片２及び内側片３のボタン穴２ａ，２ｂ，３ａ，３ｂを通してカフリンクス４で留められるようにしたダブルカフスに関し、カフス１の内側片３のボタン穴３ａ，３ｂを袖５の長手方向に延在させ且つカフス１の外側片２のボタン穴２ａ，２ｂを袖５の長手方向に対し略直角な幅方向に延在させて形成する。【選択図】図２
2009155737.tif 000002
【特許請求の範囲】
【請求項１】
シャツ、ブラウス等の袖口を折返し仕立てとし且つその二つ折りにしたカフスの外側片及び内側片のボタン穴を通してカフリンクスで留められるようにしたダブルカフスであって、カフスの内側片のボタン穴を袖の長手方向に延在させ且つカフスの外側片のボタン穴を袖の長手方向に対し略直角な幅方向に延在させて形成したことを特徴とするダブルカフス。
【請求項２】
カフスの内側片のボタン穴の長さをカフスの外側片のボタン穴の長さよりも長くしたことを特徴とする請求項１に記載のダブルカフス。
【請求項３】
カフスの内側片のボタン穴を袖の長手方向に対し略直角な幅方向に位置をずらして複数組形成したことを特徴とする請求項１又は２に記載のダブルカフス。
【発明の詳細な説明】
【技術分野】
【０００１】
本発明は、シャツ、ブラウス等の袖口に採用されるダブルカフスに関するものである。
【背景技術】
【０００２】
従来より、シャツ、ブラウス等の袖口を折返し仕立てとして、その二つ折りにしたカフスの外側片及び内側片の双方のボタン穴を通してカフリンクス（取り外しのできる飾りボタン：各種貴金属、宝石類で作られた円盤状のボタンに金属製の留め具を付けたもの、チェーンで繋いだもの、非金属の球状のボタンをゴム等の弾性体で繋いだもの等がある）で留められるようにしたダブルカフスが知られており、これまでは礼装用のシャツやブラウス等の袖口に採用されてきたが、近年におけるファッション化の傾向により、ダブルカフスのシャツやブラウス等がお洒落を楽しむ人々に好んで着用されるようになってきている。
【０００３】
そして、このようなダブルカフスのシャツやブラウス等を優美に着こなすにあたっては、裄丈の合ったものを着用することが極めて重要であり、腕の長さに対し裄丈が短ければ、背広やジャケット等の袖口にダブルカフスが隠れてしまい、腕の長さに対し裄丈が長ければ、背広やジャケット等の袖口からダブルカフスの袖が必要以上に見えてしまうので、何れの場合も外見的な見栄えが悪くなり、ダブルカフスが持つ優美な雰囲気を醸し出すことができなくなる。
【０００４】
一方、各個人の身体的な特徴は様々であり、ダブルカフスのシャツやブラウス等を既製品で購入する場合、首回りが寸法的に合っても裄丈が合わないケースや、自分の腕の長さに合う裄丈のものが商品サイズとして用意されていないケースが多々あり、裄丈を調整することが可能なダブルカフスの提供が望まれている。
【０００５】
尚、この種の裄丈の長さが調整できるダブルカフスに関連する先行技術文献情報としては下記の特許文献１や特許文献２等がある。
【特許文献１】実公昭３９−２３５０６号公報
【特許文献２】実公昭４１−１６２５２号公報
【発明の開示】
【発明が解決しようとする課題】
【０００６】
しかしながら、特許文献１で提案されているものでは、二つ折りにしたカフスの外側片及び内側片のボタン穴を袖の長手方向に位置をずらして複数組形成しておき、カフスを二つ折りにする際に、組み合わせるべき外側片のボタン穴と内側片のボタン穴の組み合わせを変更して外側片と内側片の重なり量を増減し、これにより裄丈の調整ができるようにしてあるが、このような裄丈の調整形式では、ボタン穴の数や位置により裄丈が複数種類の特定長さに変更できるというだけで裄丈を所望の長さに微調整することができず、しかも、裄丈の長さを調整するためにカフリンクスを一旦取り外してから再度ボタン穴に嵌め直すという作業が必要となって非常に面倒となる。
【０００７】
他方、特許文献２で提案されているものでは、カフスの先端部を該カフスの取り付け基部より大きな幅とした上、ネクタイピンの如き構造のカフスボタン（カフリンクスに相当する和製英語）を用いて所望の折返し位置で固定するようにしてあるが、二つ折りにしたカフスをネクタイピンの如き構造のカフスボタンで閉じる際には、四枚重ねの生地に対し針状の金具を挿し通さなければならず、カフスの形状を安定して維持できるかどうか疑問があり、しかも、仮に形状を維持できたとしても、着用の度に二つ折りにしたカフスの生地に針状の金具を挿し通すのでは、何度も繰り返し着用するうちに挿し通し部分の生地が脆弱化する懸念があって実用的であるとは言えない。
【０００８】
本発明は上述の実情に鑑みてなしたもので、面倒な手間をかけることなく裄丈を所望の長さに微調整し且つ繰り返しの着用によっても生地の脆弱化を招くことなくカフスの形状を安定して維持し得るようにしたダブルカフスを提供することを目的としている。
【課題を解決するための手段】
【０００９】
本発明は、シャツ、ブラウス等の袖口を折返し仕立てとし且つその二つ折りにしたカフスの外側片及び内側片のボタン穴を通してカフリンクスで留められるようにしたダブルカフスであって、カフスの内側片のボタン穴を袖の長手方向に延在させ且つカフスの外側片のボタン穴を袖の長手方向に対し略直角な幅方向に延在させて形成したことを特徴とするものである。
【００１０】
而して、このようにすれば、カフスを二つ折りにして外側片及び内側片のボタン穴を通しカフリンクスで留めても、カフスの内側片のボタン穴が袖の長手方向に延在しているので、カフリンクスを留めた状態のままカフスの折返し位置を内側片のボタン穴の長さの範囲内でずらすことが可能であり、これによって、外側片と内側片の重なり量を増減して裄丈を所望の長さに微調整することが可能となる。
【００１１】
この際、裄丈の長さを調整するためにカフリンクスを一旦取り外してから再度ボタン穴に嵌め直すといった作業が不要であるため、面倒な手間がかからなくて済み、しかも、二つ折りにしたカフスの生地に針状の金具を挿し通すような固定手段を採る必要もないため、繰り返しの着用により生地の脆弱化を招くような心配もない。
【００１２】
尚、外側片と内側片の重なり量を増減して裄丈を所望の長さに微調整しても、内側片のボタン穴は外側片により被覆され続けるため、内側片における通常とは異なる向きのボタン穴が露出する心配がなく、見掛け上は既存のダブルカフスの外観を保つことが可能である。
【００１３】
また、本発明においては、カフスの内側片のボタン穴の長さをカフスの外側片のボタン穴の長さよりも長くしておくと良く、このようにすれば、カフスの外側片のボタン穴を既存の一般的な長さに維持したまま内側片のボタン穴だけを長くして裄丈の調整範囲を大きくすることが可能となり、裄丈の調整範囲を大きくすることでカフリンクスがボタン穴から外れ易くなる事態を回避することが可能となる。
【００１４】
即ち、カフスの内側片は外側片に挟まれたサンドイッチ状態でカフリンクスにより掛止されることになるため、外側片のボタン穴が一般的な長さでありさえすれば、内側片のボタン穴を通常以上に長くして裄丈の調整範囲を大きくしても、カフリンクスがボタン穴から外れ易くなるといった不都合を招かなくて済む。
【００１５】
更に、本発明においては、カフスの内側片のボタン穴を袖の長手方向に対し略直角な幅方向に位置をずらして複数組形成することが好ましく、このようにすれば、外側片のボタン穴に対し組み合わせるべき内側片のボタン穴を選択してカフリンクスで袖口を留めることにより手首回りの寸法も調整することが可能となる。
【発明の効果】
【００１６】
上記した本発明のダブルカフスによれば、下記の如き種々の優れた効果を奏し得る。
【００１７】
（Ｉ）本発明の請求項１に記載の発明によれば、カフリンクスを留めた状態のままカフスの折返し位置を内側片のボタン穴の長さの範囲内でずらすことができるので、面倒な手間をかけることなく裄丈を所望の長さに微調整することができ、しかも、カフスの生地に針状の金具を挿し通すような固定手段を採る必要もないことから、繰り返しの着用によっても生地の脆弱化を招くことなくカフスの形状を安定して維持することができる。
【００１８】
（ＩＩ）本発明の請求項２に記載の発明によれば、カフスの内側片のボタン穴を長くして裄丈の調整範囲を大きくすることができ、しかも、カフスの外側片のボタン穴を既存の一般的な長さに維持しておくことでカフリンクスがボタン穴から外れ易くなる事態を未然に回避することができる。
【００１９】
（ＩＩＩ）本発明の請求項３に記載の発明によれば、外側片のボタン穴に対し組み合わせるべき内側片のボタン穴を選択してカフリンクスで袖口を留めることができるので、手首回りの寸法も調整することができる。
【発明を実施するための最良の形態】
【００２０】
以下本発明の実施の形態を図面を参照しつつ説明する。
【００２１】
図１〜図３は本発明を実施する形態の一例を示すもので、シャツ、ブラウス等の袖口を折返し仕立てとし且つその二つ折りにしたカフス１の外側片２及び内側片３のボタン穴２ａ，２ｂ，３ａ，３ｂを通してカフリンクス４で留められるようにしたダブルカフスに関し、カフス１の内側片３のボタン穴３ａ，３ｂを袖５の長手方向に延在させ且つカフス１の外側片２のボタン穴２ａ，２ｂを袖５の長手方向に対し略直角な幅方向に延在させて形成している。
【００２２】
ここで、図示する例では、カフス１の外側片２のボタン穴２ａ，２ｂを既存の一般的な長さに維持したまま内側片３のボタン穴３ａ，３ｂだけを通常よりも長くするようにしており、後述する裄丈の調整範囲を大きく採れるようにしてある。
【００２３】
而して、図１の展開した状態のカフス１を折返し線ｘで外側に折返して二つ折りとし、その外側片２のボタン穴２ａ，２ｂと内側片３のボタン穴３ａ，３ｂとを重ね合わせ、相互のボタン穴２ａ，２ｂ，３ａ，３ｂを通してカフリンクス４で袖口を留めると、図２の如きダブルカフスの形態を成す状態となるが、カフス１の内側片３のボタン穴３ａ，３ｂが袖５の長手方向に延在しているので、カフリンクス４を留めた状態のままカフス１の折返し位置を内側片３のボタン穴３ａ，３ｂの長さの範囲内でずらすことが可能であり、これによって、外側片２と内側片３の重なり量を増減して裄丈を所望の長さに微調整することが可能となる。
【００２４】
例えば、カフリンクス４を留めた状態のまま外側片２を摘んで手先側に向けて引き下げ、内側片３に対し外側片２を相対的に移動させると、図３に示す如く、それまで外側片２に隠れていた内側片３の一部が露出し、外側片２と内側片３の重なり量が減少してカフス幅Ｌ1がＬ2に増加することにより裄丈の長さが長くなる。
【００２５】
また、これとは逆に、カフリンクス４を留めた状態のまま外側片２を摘んで肘側に向けて引き上げ、内側片３に対し外側片２を相対的に移動させたならば、外側片２と内側片３の重なり量が増加してカフス幅が減少することにより裄丈の長さが短くなる。
【００２６】
この際、裄丈の長さを調整するためにカフリンクス４を一旦取り外してから再度ボタン穴２ａ，２ｂ，３ａ，３ｂに嵌め直すといった作業が不要であるため、面倒な手間がかからなくて済み、しかも、二つ折りにしたカフス１の生地に針状の金具を挿し通すような固定手段を採る必要もないため、繰り返しの着用により生地の脆弱化を招くような心配もない。
【００２７】
尚、外側片２と内側片３の重なり量を増減して裄丈を所望の長さに微調整しても、内側片３のボタン穴３ａ，３ｂは外側片２により被覆され続けるため、内側片３における通常とは異なる向きのボタン穴３ａ，３ｂが露出する心配がなく、見掛け上は既存のダブルカフスの外観を保つことが可能である。
【００２８】
従って、本形態例によれば、カフリンクス４を留めた状態のままカフス１の折返し位置を内側片３のボタン穴３ａ，３ｂの長さの範囲内でずらすことができるので、面倒な手間をかけることなく裄丈を所望の長さに微調整することができ、しかも、カフス１の生地に針状の金具を挿し通すような固定手段を採る必要もないことから、繰り返しの着用によっても生地の脆弱化を招くことなくカフス１の形状を安定して維持することができる。
【００２９】
また、特に本形態例においては、カフス１の内側片３のボタン穴３ａ，３ｂの長さをカフス１の外側片２のボタン穴２ａ，２ｂの長さよりも長くした構成を採用しているので、内側片３のボタン穴３ａ，３ｂを長くして裄丈の調整範囲を大きくすることができ、しかも、カフス１の外側片２のボタン穴２ａ，２ｂを既存の一般的な長さに維持しておくことでカフリンクス４がボタン穴２ａ，２ｂ，３ａ，３ｂから外れ易くなる事態を未然に回避することができる。
【００３０】
即ち、カフス１の内側片３は外側片２に挟まれたサンドイッチ状態でカフリンクス４により掛止されることになるため、外側片２のボタン穴２ａ，２ｂが一般的な長さでありさえすれば、内側片３のボタン穴３ａ，３ｂを通常以上に長くして裄丈の調整範囲を大きくしても、カフリンクス４がボタン穴２ａ，２ｂ，３ａ，３ｂから外れ易くなるといった不都合を招かなくて済む。
【００３１】
図４〜図６は本発明の別の形態例を示すもので、本形態例においては、カフス１の内側片３に、袖５の長手方向に対し略直角な幅方向に位置をずらして、袖５の長手方向に延在する複数組（図４では二組）のボタン穴３ａ，３ｂ及び３ｃ，３ｄを形成したものである。
【００３２】
より具体的には、カフス１の外側片２の一方のボタン穴２ａの長さの範囲内に収まるように、袖５の長手方向に延在する一対のボタン穴３ａ，３ｃを内側片３に並列に形成すると共に、これと同様にして、カフス１の外側片２の他方のボタン穴２ｂの長さの範囲内に収まるように、袖５の長手方向に延在する一対のボタン穴３ｂ，３ｄを内側片３に並列に形成しており、しかも、カフス１の外側片２のボタン穴２ａ，２ｂを既存の一般的な長さに維持したまま内側片３のボタン穴３ａ，３ｂ，３ｃ，３ｄだけを長くして裄丈の調整範囲を大きく採れるようにしてある。
【００３３】
而して、このようにすれば、外側片２のボタン穴２ａ，２ｂに対し組み合わせるべき内側片３のボタン穴３ａ，３ｂ又は３ｃ，３ｄを選択してカフリンクス４で袖口を留めることができるので、内側片３のボタン穴２ａ，２ｂの何れかを選択してカフリンクス４で袖口を留めることにより手首回りの寸法を調整することが可能となる。
【００３４】
例えば、カフス１の幅方向内側のボタン穴３ｃ，３ｄを選択してカフリンクス４で留めれば、手首回りの寸法がＷ1となり、図５に示す如く、カフリンクス４が外側片２のボタン穴２ａ，２ｂの一端に掛止された状態で袖口が留められることになる。
【００３５】
また、これとは逆に、カフス１の幅方向外側のボタン穴３ａ，３ｂを選択してカフリンクス４で留めれば、手首回りの寸法がＷ2となり、カフリンクス４が外側片２のボタン穴２ａ，２ｂの他端に掛止された状態で袖口が留められることになる。
【００３６】
尚、内側片３のボタン穴２ａ，２ｂの何れを選択した場合においても、前述した図１〜図３の形態例の場合と同様に、カフス１の内側片３のボタン穴３ａ，３ｂ，３ｃ，３ｄが袖５の長手方向に延在しているので、カフリンクス４を留めた状態のままカフス１の折返し位置を内側片３のボタン穴３ａ，３ｂ，３ｃ，３ｄの長さの範囲内でずらすことが可能であり、これによって、外側片２と内側片３の重なり量を増減して裄丈を所望の長さに微調整することができる。
【００３７】
例えば、カフリンクス４を留めた状態のまま外側片２を摘んで手先側に向けて引き下げ、内側片３に対し外側片２を相対的に移動させると、図６に示す如く、それまで外側片２に隠れていた内側片３の一部が露出し、外側片２と内側片３の重なり量が減少してカフス幅Ｌ1がＬ2に増加することにより裄丈の長さが長くなり、これとは逆に、カフリンクス４を留めた状態のまま外側片２を摘んで肘側に向けて引き上げ、内側片３に対し外側片２を相対的に移動させたならば、外側片２と内側片３の重なり量が増加してカフス幅が減少することにより裄丈の長さが短くなる。
【００３８】
従って、本形態例によれば、前述した図１〜図３の形態例と同様の作用効果を奏し得ることに加え、外側片２のボタン穴２ａ，２ｂに対し組み合わせるべき内側片３のボタン穴３ａ，３ｂ又は３ｃ，３ｄを選択してカフリンクス４で袖口を留めることができるので、手首回りの寸法もＷ1とＷ2の何れかを選択して調整することができる。
【００３９】
尚、本発明のダブルカフスは、上述の形態例にのみ限定されるものではなく、本発明の要旨を逸脱しない範囲内において種々変更を加え得ることは勿論である。
【図面の簡単な説明】
【００４０】
【図１】本発明を実施する形態の一例を示す展開図である。
【図２】図１のカフスを二つ折りにしてカフリンクスで留めた状態を示す図である。
【図３】図２のカフスの外側片を手先側に向け引き下げた状態を示す図である。
【図４】本発明の別の形態例を示す展開図である。
【図５】図４のカフスを二つ折りにしてカフリンクスで留めた状態を示す図である。
【図６】図５のカフスの外側片を手先側に向け引き下げた状態を示す図である。
【符号の説明】
【００４１】
１  カフス
２  外側片
２ａ  ボタン穴
２ｂ  ボタン穴
３  内側片
３ａ  ボタン穴
３ｂ  ボタン穴
３ｃ  ボタン穴
３ｄ  ボタン穴
４  カフリンクス
５  袖
ｘ  折返し線
Ｌ1  カフス幅
Ｌ2  カフス幅
Ｗ1  手首回りの寸法
Ｗ2  手首回りの寸法
【図１】
2009155737.tif 000003
【図２】
2009155737.tif 000004
【図３】
2009155737.tif 000005
【図４】
2009155737.tif 000006
【図５】
2009155737.tif 000007
【図６】
2009155737.tif 000008